(57)【特許請求の範囲】
【請求項１】
患部を保持・支持する内部フレームと、当該内部フレームを包み込む多孔質材料からなるカバー部材とを備える副木であって、前記内部フレームが、長骨に対応する患部の外面に沿った状態に湾曲可能な長骨保持部と、当該長骨保持部に連接され関節に対応する患部の外周に沿った状態に屈曲可能でかつ湾曲可能な関節保持部と、前記長骨保持部を湾曲させるための湾曲機構と、前記関節保持部を屈曲・湾曲させるための屈曲・湾曲機構とを備え、前記関節保持部が、平面視略台形又は略三角形状の複数の凸片を前記長骨保持部の長手方向に沿って並べて側面で相互に連接され、前記屈曲・湾曲機構の作動により前記各凸片がその側面が密着状態になる方向に変形させられて前記関節保持部が屈曲かつ湾曲させられる構造であることを特徴とする副木。
【請求項２】
前記長骨保持部が、その長手方向の長さを調整可能とする長さ調整機構を備えていることを特徴とする請求項１記載の副木。
【請求項３】
前記長骨保持部が、その長手方向に分割された分割部分を備え、前記長さ調整機構が、前記各分割部分が相互にその長手方向に重畳状態で入り込む入れ子状構造であることを特徴とする請求項２記載の副木。
【請求項４】
前記長骨保持部には、その長手方向に延びるスリットが形成され、当該スリットを開いた状態にさせることにより前記長骨保持部を前記スリット側が凸側となるように湾曲させる構造であることを特徴とする請求項１記載の副木。
【請求項５】
前記関節保持部の各凸片には、前記長骨保持部の長手方向に延びるスリットが形成され、前記各凸片をその側面が密着状態になる方向に変形させるとともに、前記スリットを開いた状態にさせることにより前記関節保持部を前記スリット側が凸側になるように屈曲かつ湾曲させる構造であることを特徴とする請求項１記載の副木。
【請求項６】
前記長骨保持部には、その長手方向に延びるスリットが形成され、当該スリットを開いた状態にさせることにより前記長骨保持部を前記スリット側が凸側になるように湾曲させる構造であり、前記関節保持部の各凸片には、前記長骨保持部の長手方向に延びるスリットが形成され、前記各凸片をその側面が密着状態になる方向に変形させるとともに、前記スリットを開いた状態にさせることにより前記関節保持部を前記スリット側が凸側となるように屈曲かつ湾曲させる構造であることを特徴とする請求項１記載の副木。
【請求項７】
前記湾曲機構と前記屈曲・湾曲機構とが、共通の機構装置により構成されていることを特徴とする請求項１記載の副木。
【請求項８】
前記機構装置が、前記関節保持部を屈曲・湾曲させて前記長骨保持部を湾曲させる連続したワイヤ部材と、当該ワイヤ部材の移動を拘束して前記長骨保持部の湾曲状態及び関節保持部の屈曲・湾曲状態を保持するロック部材とを備えることを特徴とする請求項７記載の副木。
【請求項９】
前記湾曲機構と前記屈曲・湾曲機構とが、共通の機構装置により構成され、当該機構装置が、前記関節保持部の平面視略台形又は略三角形状の複数の凸片をその側面が密着状態になる方向に変形させ前記各凸片に形成されたスリットを開いた状態にさせるとともに、前記長骨保持部に形成されたスリットを開いた状態にさせるワイヤ部材と、当該ワイヤ部材の移動を拘束して前記長骨保持部に形成されたスリットを開いた状態に保持するとともに、前記凸片をその側面が密着状態になる方向に変形させた状態で、かつ、当該凸片に形成されたスリットを開いた状態に保持するロック部材とを備えることを特徴とする請求項６記載の副木。
【請求項１０】
前記ワイヤ部材が、前記長骨保持部から前記関節保持部の各凸片に挿通され前記関節保持部を通過した後にＵターンされ、再び前記関節保持部の各凸片に挿通された後に前記長骨保持部に固定されていることを特徴とする請求項８又は９記載の副木。
【請求項１１】
前記ワイヤ部材が、前記長骨保持部及び関節保持部の両外縁部に沿った少なくとも２本からなり、各ワイヤ部材が、前記長骨保持部から前記関節保持部の各凸片に挿通され前記関節保持部を通過した後に前記関節保持部の外縁部よりも内側に向けてＵターンされ、再び前記関節保持部の各凸片に挿通された後に前記長骨保持部に固定されていることを特徴とする請求項８又は９記載の副木。
【請求項１２】
前記湾曲機構が、前記長骨保持部を湾曲させるワイヤ部材と、当該ワイヤ部材の移動を拘束して前記長骨保持部の湾曲状態を保持するロック部材とを備えることを特徴とする請求項１記載の副木。
【請求項１３】
前記屈曲・湾曲機構が、前記関節保持部を屈曲・湾曲させるワイヤ部材と、当該ワイヤ部材の移動を拘束して前記関節保持部の屈曲・湾曲状態を保持するロック部材とを備えることを特徴とする請求項１記載の副木。
【請求項１４】
前記湾曲機構が、前記長骨保持部に形成されたスリットを開いた状態にさせるワイヤ部材と、当該ワイヤ部材の移動を拘束して前記スリットを開いた状態に保持するロック部材とを備えることを特徴とする請求項４記載の副木。
【請求項１５】
前記屈曲・湾曲機構が、前記平面視略台形又は略三角形状の複数の凸片をその側面が密着状態になる方向に変形させるとともに前記各凸片に形成されたスリットを開いた状態にさせるワイヤ部材と、当該ワイヤ部材の移動を拘束して前記凸片をその側面が密着状態になる方向に変形させた状態で、かつ、前記スリットを開いた状態に保持するロック部材とを備えることを特徴とする請求項５記載の副木。
【請求項１６】
前記長骨保持部が、多孔性材料により形成されていることを特徴とする請求項１記載の副木。
【請求項１７】
前記長骨保持部、前記関節保持部、前記湾曲機構、前記屈曲・湾曲機構、前記機構装置、前記カバー部材が、Ｘ線をほぼ透過させる材料により形成されていることを特徴とする請求項１〜１５のいずれかに記載の副木。
【発明の詳細な説明】
【０００１】
【発明が属する技術分野】
本発明は、骨折、捻挫、脱臼などの治療のために患部を固定ないし支持・保持するために使用される副木に関するものである。
【０００２】
【従来の技術】
従来の副木としては、針金からなる略平面状の梯子形状の芯材をウレタン樹脂等の発泡性樹脂からなるクッション材で覆ったものがある（実開昭５７−４８９１２号公報、実開昭６３−３８５１２号公報、実開平７−１８７０７号公報、実公昭５８−４４８５号公報、特開平９−２７１４８３号公報参照）。
【０００３】
【発明が解決しようとする課題】
しかしながら、前記した従来の副木では、芯材の長さは所定の長さで固定されており、副木の長さを調整することができないので、腕部や脚部等の患部に応じて各種の長さ寸法を有する副木を用意する必要がある。各種の長さの副木を製造することは製造コストを増大させる。また、医療現場においても各種の長さの副木を用意しかつ管理しなければならず管理が煩雑になる。
【０００４】
従来の副木における芯材は針金から形成されているので、副木全体の重量が重くなりがちで、使用する患者の負担が大きくなることがあった。患部側のクッション材が破れた場合には針金製の芯材が露出して患部に芯材が接触するという不具合が生ずる。したがって、クッション材が破れて芯材が露出しないように、必要以上の厚さのクッション材を使用すると、重量増大や寸法増大を招き、患者の負担が増大する。必要以上のクッション材を使用することは製造コストを増大させる。
【０００５】
クッション材を厚くすると、患部から発汗した汗が発散し難くなり、汗がクッション材に吸収されて雑菌が繁殖し悪臭発生の原因にもなる。従来の副木の中には、クッション材の内側に抗生物質を含浸させた消臭シートを介挿させるようにしたものがある（特開平９−２７１４８３号公報参照）が、消臭シートを介挿することはさらに副木を大型化・大重量化させ外見上も機能上も不都合である。消臭シートの原料費の増大や製造工程の複雑化を招き製造コストの増大が避けられない。
【０００６】
従来の副木のなかには多少湾曲したものもある（特開平９−２７１４８３公報参照）が、略平面状の形状であるので、外面が曲面を呈している腕部や脚部にあてがい難く、副木の上から包帯で患部を巻く作業もし難いとともに、患部の保持・支持が不安定になるおそれがある。特に、腕部の肩関節、肘関節や脚部の脚関節のようにほぼ９０°に曲がった部分を固定・保持することは不可能である。さらに、余分な経路を経るので、巻き付ける包帯の長さも長くなりがちである。
【０００７】
従来の副木では、芯材が針金製であるので、副木を付けたままでＸ線撮影をすると、芯材の陰が写ってしまい、患部の診断に障害が生ずる。したがって、Ｘ線撮影をするたびに副木をはずさなければならず、患者の負担が大きくなるとともに、医師や看護師などの負担も大きくなる。
【０００８】
従来の副木では、使用後廃棄する場合には不燃物の芯材と、可燃物であるクッション材とを分別しなければならず、処理作業に手間がかかる。
【０００９】
本発明はかかる事情に鑑みてなされたもので、本発明の第１の目的は、患部に沿ってあてがいやすく患部の保持を確実にすることができる副木を提供することにある。
【００１０】
本発明の第２の目的は、患部に合わせて長さを伸縮させたり、屈曲・湾曲の度合いを調整したりすることができる副木を提供することにある。
【００１１】
本発明の第３の目的は、通気性がよく汗の発散が良好である副木を提供することにある。
【００１２】
本発明の第４の目的は、軽量化、小型化を図ることができる副木を提供することにある。
【００１３】
本発明の第５の目的は、患部に付けたままでＸ線撮影を行うことができる副木を提供することにある。
【００１４】
【課題を解決するための手段】
本発明の請求項１記載の副木は、患部を保持・支持する内部フレームと、当該内部フレームを包み込む多孔質材料からなるカバー部材とを備える副木であって、前記内部フレームが、長骨に対応する患部の外面に沿った状態に湾曲可能な長骨保持部と、当該長骨保持部に連接され関節に対応する患部の外周に沿った状態に屈曲可能でかつ湾曲可能な関節保持部と、前記長骨保持部を湾曲させるための湾曲機構と、前記関節保持部を屈曲・湾曲させるための屈曲・湾曲機構とを備え、前記関節保持部が、平面視略台形又は略三角形状の複数の凸片を前記長骨保持部の長手方向に沿って並べて側面で相互に連接され、前記屈曲・湾曲機構の作動により前記各凸片がその側面が密着状態になる方向に変形させられて前記関節保持部が屈曲かつ湾曲させられる構造であることを特徴とする。
【００１５】
これにより、湾曲機構及び屈曲・湾曲機構により長骨保持部及び関節保持部を湾曲及び屈曲させることができるので、患部に沿ってあてがいやすく患部の保持を確実にすることができる。また、凸片の変形の度合い・程度を変更・調整することにより、凸片の変形の度合い・程度に応じて関節保持部の屈曲・湾曲の度合い・程度を調整でき、さらには長骨保持部の湾曲も調整できる。
【００１６】
本発明の請求項２記載の副木は、前記長骨保持部が、その長手方向の長さを調整可能とする長さ調整機構を備えていることを特徴とする。
【００１７】
これにより、長さ調節機構により長骨保持部の長さを患部に合わせて伸縮させることができ、各種の長さの副木を製造しなくてもよいことによる製造コストの低減や、医療現場における管理の手間の低減などが図られる。
【００１８】
本発明の請求項３記載の副木は、前記長骨保持部が、その長手方向に分割された分割部分を備え、前記長さ調整機構が、前記各分割部分が相互にその長手方向に重畳状態で入り込む入れ子状構造であることを特徴とする。
【００１９】
これにより、入れ子構造という簡単かつ確実な構造により長骨保持部の長さの伸縮ができ、長骨保持部を患部に合わせて長さ調整して使用できる。
【００２０】
本発明の請求項４記載の副木は、前記長骨保持部には、その長手方向に延びるスリットが形成され、当該スリットを開いた状態にさせることにより前記長骨保持部を前記スリット側が凸側となるように湾曲させる構造であることを特徴とする。
【００２１】
これにより、スリットを開いた状態にさせることにより、長骨保持部は当該スリット側が凸側になるように湾曲し、患部の長骨部分にあてがいやすくなり、保持が確実となる。
【００２２】
本発明の請求項５記載の副木は、前記関節保持部の各凸片には、前記長骨保持部の長手方向に延びるスリットが形成され、前記各凸片をその側面が密着状態になる方向に変形させるとともに、前記スリットを開いた状態にさせることにより前記関節保持部を前記スリット側が凸側になるように屈曲かつ湾曲させる構造であることを特徴とする。
【００２３】
これにより、凸片をその側面が密着状態になる方向に変形させるとともに、スリットを開いた状態にさせることにより、関節保持部は凸片を連接した方向に屈曲し、スリット側が凸側になるように湾曲し、患部の関節部分にあてがいやすく保持が確実になる。
【００２４】
本発明の請求項６記載の副木は、前記長骨保持部には、その長手方向に延びるスリットが形成され、当該スリットを開いた状態にさせることにより前記長骨保持部を前記スリット側が凸側になるように湾曲させる構造であり、前記関節保持部の各凸片には、前記長骨保持部の長手方向に延びるスリットが形成され、前記各凸片をその側面が密着状態になる方向に変形させるとともに、前記スリットを開いた状態にさせることにより前記関節保持部を前記スリット側が凸側となるように屈曲かつ湾曲させる構造であることを特徴とする。
【００２５】
これにより、スリットを開いた状態にさせることにより、長骨保持部は当該スリット側が凸側になるように湾曲し、患部の長骨部分にあてがいやすくなり、凸片をその側面が密着状態になる方向に変形させるとともに、スリットを開いた状態にさせることにより、関節保持部は凸片を連接した方向に屈曲し、スリット側が凸側になるように湾曲し、患部の関節部分にあてがいやすくなり、保持が確実になる。
【００２６】
本発明の請求項７記載の副木は、前記湾曲機構と前記屈曲・湾曲機構とが、共通の機構装置により構成されていることを特徴とする。
【００２７】
これにより、前記機構装置を作動させると、前記長骨保持部及び関節保持部とがほぼ同時に湾曲・屈曲させられ、機構装置の１度の操作で、患部の保持に適した形状にできる。
【００２８】
本発明の請求項８記載の副木は、前記機構装置が、前記関節保持部を屈曲・湾曲させて前記長骨保持部を湾曲させる連続したワイヤ部材と、当該ワイヤ部材の移動を拘束して前記長骨保持部の湾曲状態及び関節保持部の屈曲・湾曲状態を保持するロック部材とを備えることを特徴とする。
【００２９】
これにより、ワイヤ部材を操作することにより長骨保持部及び関節保持部をほぼ同時に屈曲・湾曲させ、ロック部材により屈曲・湾曲状態を保持することができる。
【００３０】
本発明の請求項９記載の副木は、前記湾曲機構と前記屈曲・湾曲機構とが、共通の機構装置により構成され、当該機構装置が、前記関節保持部の平面視略台形又は略三角形状の複数の凸片をその側面が密着状態になる方向に変形させ前記各凸片に形成されたスリットを開いた状態にさせるとともに、前記長骨保持部に形成されたスリットを開いた状態にさせるワイヤ部材と、当該ワイヤ部材の移動を拘束して前記長骨保持部に形成されたスリットを開いた状態に保持するとともに、前記凸片をその側面が密着状態になる方向に変形させた状態で、かつ、当該凸片に形成されたスリットを開いた状態に保持するロック部材とを備えることを特徴とする。
【００３１】
これにより、ワイヤ部材を作動させて関節保持部の凸片をその側面を略密着状態にするとともに、長骨保持部及び関節保持部に形成されたスリットを開いた状態にし、ロック部材により拘束することにより、長骨保持部及び関節保持部を湾曲・屈曲状態に保持できる。
【００３２】
本発明の請求項１０記載の副木は、前記ワイヤ部材が、前記長骨保持部から前記関節保持部の各凸片に挿通され前記関節保持部を通過した後にＵターンされ、再び前記関節保持部の各凸片に挿通された後に前記長骨保持部に連結されていることを特徴とする。
【００３３】
これにより、ワイヤ部材が引き出し操作されると、関節保持部の凸片がその側面が密着状態になる方向に変形させられて関節保持部が屈曲・湾曲させられるとともに、関節保持部にはワイヤ部材を介して長骨保持部が連結されているので、関節保持部の屈曲・湾曲に連動して長骨保持部が湾曲させられる。
【００３４】
本発明の請求項１１記載の副木は、前記ワイヤ部材が、前記長骨保持部及び関節保持部の両外縁部に沿った少なくとも２本からなり、各ワイヤ部材が、前記長骨保持部から前記関節保持部の各凸片に挿通され前記関節保持部を通過した後に前記関節保持部の外縁部よりも内側に向けてＵターンされ、再び前記関節保持部の各凸片に挿通された後に前記長骨保持部に連結されていることを特徴とする。
【００３５】
これにより、長骨保持部及び関節保持部の両外周縁に配置された少なくとも２本のワイヤ部材を引き出し操作することにより、関節保持部及び長骨保持部は円滑に湾曲・屈曲させられる。
【００３６】
本発明の請求項１２記載の副木は、前記湾曲機構が、前記長骨保持部を湾曲させるワイヤ部材と、当該ワイヤ部材の移動を拘束して前記長骨保持部の湾曲状態を保持するロック部材とを備えることを特徴とする。
【００３７】
これにより、ワイヤ部材を作動させて長骨保持部を湾曲させ、ロック部材により湾曲状態を保持できる。
【００３８】
本発明の請求項１３記載の副木は、前記屈曲・湾曲機構が、前記関節保持部を屈曲・湾曲させるワイヤ部材と、当該ワイヤ部材の移動を拘束して前記関節保持部の屈曲・湾曲状態を保持するロック部材とを備えることを特徴とする。
【００３９】
これにより、ワイヤ部材を作動させて、関節保持部を屈曲・湾曲させ、ロック部材により屈曲・湾曲状態を保持できる。
【００４０】
本発明の請求項１４記載の副木は、前記湾曲機構が、前記長骨保持部に形成されたスリットを開いた状態にさせるワイヤ部材と、当該ワイヤ部材の移動を拘束して前記スリットを開いた状態に保持するロック部材とを備えることを特徴とする。
【００４１】
これにより、ワイヤ部材を作動させてスリットを開いた状態にさせ、ロック部材により拘束することにより、長骨保持部を湾曲状態に保持できる。
【００４２】
本発明の請求項１５記載の副木は、前記屈曲・湾曲機構が、前記平面視略台形又は略三角形状の複数の凸片をその側面が密着状態になる方向に変形させるとともに前記各凸片に形成されたスリットを開いた状態にさせるワイヤ部材と、当該ワイヤ部材の移動を拘束して前記凸片をその側面が密着状態になる方向に変形させた状態で、かつ、前記スリットを開いた状態に保持するロック部材とを備えることを特徴とする。
【００４３】
これにより、ワイヤ部材を作動させて凸片をその側面が密着状態になる方向に変形させるとともに、スリットを開いた状態にさせ、ロック部材により拘束することにより、関節保持部を湾曲・屈曲状態に保持できる。
【００４４】
本発明の請求項１６記載の副木は、前記長骨保持部が、多孔性材料により形成されていることを特徴とする。
【００４５】
これにより、患部から出た汗は多孔板を通して外部に放散させられ、雑菌の繁殖や異臭の発生が防止されるとともに、軽量化にも役立つ。
【００４６】
本発明の請求項１７記載の副木は、前記長骨保持部、前記関節保持部、前記湾曲機構、前記屈曲・湾曲機構、前記機構装置、前記カバー部材が、Ｘ線をほぼ透過させる材料により形成されていることを特徴とする。
【００４７】
これにより、副木を付けたままＸ線撮影をすることができ、副木の取り外し・取り付け作業も必要なく、患者の負担が軽くなるとともに、医師や看護師などの負担も軽くなる。
【００４８】
【発明の実施の形態】
図面を参照して、本発明の実施の形態に係る副木について説明する。
【００４９】
本実施の形態にかかる副木１は、図１に示すように、多孔板からなる内部フレーム２と多孔質材料からなるカバー部材３とから概略構成され、内部フレーム２の表裏をカバー部材３により包み込み、図９に示すように周縁部で接着したものである。なお、本実施の形態では表裏の２枚のカバー部材２を接着して使用しているが、カバー部材を袋状のものとして、袋内に内部フレームを挿入後に袋の開口を閉じるようにしたものでもよい。
【００５０】
前記内部フレーム２は、長骨に対応する患部の外面に沿って湾曲可能な長骨保持部４と、当該長骨保持部４に連接されて関節部に対応する患部に沿って屈曲可能でかつ湾曲可能な関節保持部５と、前記長骨保持部４を湾曲させる湾曲機構と前記関節保持部５を屈曲・湾曲させる屈曲・湾曲機構とを兼ね備えた機構装置６とを備える。
【００５１】
前記長骨保持部４、前記関節保持部５、前記機構装置６、前記カバー部材３は、Ｘ線をほぼ透過させる材料（例えば、プラスチック材料）から形成されている。完全にＸ線を透過させるものはＸ線撮影の際に一切の影が映らないのでもっとも好適であるが、完全に透過させないものであっても、診察に支障のない程度の影が生ずる材料から形成されているものであっても良い。
【００５２】
前記長骨保持部６には、長手方向の長さを調整可能とする長さ調整機構８が設けられている。図２又は図３に示すように、前記長骨保持部４は長手方向に固定側部材４ａとスライド側部材４ｂとに分割されており、前記長さ調整機構８は、スライド側部材４ｂを固定側部材４ａの長手方向に対して重畳状態に入り込ませて長さを調整する、いわゆる入れ子状構造を基本としている。
【００５３】
図４に示すように、前記固定側部材４ａは、５つの舟形部材１４を側面で連結したような構造をしている。各舟形部材１４の接合部には固定側部材４ａの長さ方向に沿って中止まりのスリット１４ｄが形成されている。なお、隣接する舟形部材１４をそれぞれ別体で形成し、中止まりのスリットが形成されるように接着したものであってもよい。
【００５４】
各舟形部材１４の基端部には平面視コ字状に周壁１４ａが形成され、中央部よりも先端側の先端部には両側縁に沿って前記周壁１４ａの高さよりも低い立壁１４ｂが形成されている。当該立壁１４ｂの外面幅寸法は、前記基端部の周壁１４ａの幅よりも若干狭く形成されている。これにより、隣接する舟形部材１４の先端部間に隙間１４ｅが形成されている。
【００５５】
スライド側部材４ｂは、断面コ字状の５つのコ字状部材２４を側面で連結したような構造をしている。各コ字状部材２４の接合部には、図４（ｂ）に示すように、スライド側部材４ｂの長さ方向に沿って中止まりのスリット２４ｄが形成されている。なお、隣接するコ字状部材２４をそれぞれ別体で形成し、中止まりのスリットが形成されるように接着したものであってもよい。
【００５６】
コ字状部材２４の両側縁の立壁２４ａの根本側の内寸寸法は、前記舟形部材１４の先端部に形成された立壁１４ｂの外寸寸法よりも若干狭く形成されている。コ字状部材２４の立壁２４ａの先端には内側に若干張り出した張出部２４ｂが形成され、これら張出部２４ｂの内面間の間隔寸法は前記舟形部材１４の先端側の立壁１４ｂの外寸寸法よりも少し小さく形成されている。また、隣接する２つの立壁２４ａの根本側の厚さ寸法を合わせた厚み寸法は、前記隙間１４ｅの幅寸法よりも若干小さく形成されている。隣接する立壁２４ａの張出部２４ｂの厚さ寸法を合わせた厚み寸法は、前記隙間１４ｅの幅寸法よりも若干大きく形成されている。
【００５７】
長骨保持部４は、図２（ｂ）に示すように、通気性を高めるためと軽量化のために、貫通孔４ｈが多数形成された多孔板から形成されている。本実施の形態では貫通孔４ｈの直径は５ｍｍとしてあり、貫通孔４ｈ間の間隔は５ｍｍとしてあるが、貫通孔４ｈの直径、間隔は任意のものを採用することができる。また、貫通孔４ｈの形状は円である必要はない。また、本実施の形態では長骨保持部４の表面から裏面に貫通する貫通孔４ｈを形成したが、表裏を貫通する貫通孔である必要もなく、狐島状又は連続状の気泡が多数配置された、いわゆる多孔質材料であっても良い。
【００５８】
スライド側部材４ｂの立壁２４ａ間に固定側部材４ａの舟形部材１４の先端側を挿入するとともに、隣接する立壁２４ａを固定側部材４ａの隙間１４ｅ内に挿入することにより、スライド側部材４ｂが固定側部材４ａに対してスライド自在に取り付けられる。これにより、固定側部材４ａに対してスライド側部材４ｂをスライドさせることで、長骨保持部４の長手方向の長さを伸縮調整できる。
【００５９】
前記関節保持部５は、図５（ａ）に示すように、４つの枠状のフレーム部材１５を側面において連結したような構造をしている。前記各フレーム部材１５は、方形枠状の基端部分１５ａと、基端部分１５ａの両側に連接された台形枠状の先端部分１５ｂとから構成されている。当該先端部分１５ｂの中間位置には架橋部分１５ｅが一体に形成されている。先端部分１５ｂと基端部分１５ａとの境界部分及び前記架橋部分１５ｅには、図５（ｂ）に示すように、中止まりのスリット１５ｄが形成されている。前記４つのフレーム部材１５の同一位置にスリット１５ｄが形成され、各スリット１５ｄはほぼ連続した１本のスリット１５ｄとなっている。
【００６０】
関節保持部５のスリット１５ｄをその底部を中心に開いた状態にすることにより、図７及び図８に示すように、関節保持部５はスリット１５ｄが形成された側が凸側になるように湾曲させられる。また、隣接する先端部分１５ｂの側面１５ｆを密着状態になる方向に変形することにより、関節保持部５が先端１５ｂ（本発明の凸片）の連接方向に屈曲させられる。この屈曲と湾曲とにより患部の関節部に沿う形状にさせられる。
【００６１】
関節保持部５には、４本のスリット１５ｄが形成されているので、図８（ｂ）に示すように略円弧状に湾曲させることができる。前記長骨保持部４の固定側部材４ａとスライド側部材４ｂにも、それぞれ４本のスリット１４ｄ，２４ｄが形成されているので、同様に、長骨保持部４も略円弧状に湾曲させることができる。
【００６２】
前記フレーム部材１５の形状は一例であり、略台形又は略三角形状の複数の凸片（前記先端部分１５ｂに相当する。以下同様）を相互に基端部（前記基端部分１５ａに相当する。）で連接したものであれば適宜形状を変更することができる。また、前記スリット１５ｄを形成する位置も一例であり、前記各凸片とほぼ直交する方向に延びたスリットであれば適宜の位置に形成することができる。屈曲や湾曲の際の開き易さを考慮して、スリットの断面形状も適宜のものを採用することができる。
【００６３】
図６に示すように、前記機構装置６は、前記長骨保持部４を湾曲させ前記関節保持部５を屈曲・湾曲させる連続したワイヤ部材１６と、当該ワイヤ部材１６の移動を拘束して前記長骨保持部４の湾曲状態及び関節保持部５の屈曲・湾曲状態を保持するロック部材２６とにより構成されている。前記ワイヤ部材１６及びロック部材の材質としてはナイロンが使用され、射出成形等による一体成型品が好ましい。
【００６４】
ワイヤ部材１６は、断面円状のワイヤ本体１６ａと、ワイヤ本体１６ａの一端に連接されラック状の歯１６ｃが多数形成されたファスナー部１６ｂとから構成される。ロック部材２６は、図６（ｂ）に示すように、角筒状の筒状部材２６ａと当該筒状部材２６ａの前面に連結部２６ｄを介して一体的に形成されたロック片２６ｂとから構成される。
【００６５】
図２及び図５に示すように、ワイヤ本体１６ａは、前記関節保持部５の各先端部分１５ｂに形成された各貫通孔１５ｇ内に挿入され最後の貫通孔１５ｇを出た後でＵターンさせられて、各先端部分１５ｂに形成された各貫通孔１５ｈ内に挿入され最後の貫通孔１５ｈから突出させられる。ワイヤ本体１６ａの先端は座金１６ｄとねじ１６ｅとで挟まれて、前記長骨保持部４の固定側部材４ａに固定される。
【００６６】
ロック部材２６の筒状部材２６ａは、その背面において前記長骨保持部４の固定側部材４ａの板面に固定されている。図６（ｂ）に示すように、筒状部材２６ａの筒部には前記ファスナー部１６ｂが挿入され、ロック片２６ｂの先端ロック部２６ｃがファスナー部１６ｂの歯１６ｃと噛み合うようになっている。ロック片２６ｂは、連結部２６ｄの基端部において揺動可能であり、通常はロック片２６ｂの先端ロック部２６ｃが常時噛み合うようになっておりファスナー部１６ｂが片方にのみ移動できるようになっているが、ロック片２６ｂを図６（ｂ）の図中下方に押すと、ロック片２６ｂの先端ロック部２６ｃがファスナー部１６ｂの歯１６ｃから外れて、ファスナー部１６ｂ及びファスナー部１６ｂに連接されたワイヤ本体１６ａとをロック部材２６に対してどちらの方向にも進退移動することができるようになる。
【００６７】
ワイヤ部材１６を引っ張り出すと、ワイヤ部材１６のワイヤ本体１６ａの基端部は関節保持部５の先端部分１５ｂを通して長骨保持部４に固定されているので、隣接する先端部分１５ｂは互いに近接させられる。最終的には先端部分１５ｂの側面１５ｆが略密着状態にさせられて関節保持部５は屈曲させられるとともに、関節保持部５に形成された各スリット１５ｄが開いた状態にさせられ、関節保持部５はスリット１５ｄが設けられた側が凸側となるように湾曲させられる。
【００６８】
なお、図７などでは、関節保持部５を湾曲・屈曲した状態においては関節保持部５の先端部分１５ｂの側面が略密着している状態を示したが、先端部分１５ｂの側面が密着状態に至らない状態いわゆる中間的な状態で使用することもできる。このような中間的な状態では、関節保持部５や長骨保持部４の湾曲・屈曲状態は図７に示す状態に至る中間的な状態となる。
【００６９】
さらに、ワイヤ本体１６ａは最外部の舟形部材１４の基端部から、関節保持部５の各先端部材１５ｂに形成された貫通孔１５ｇ，１５ｈを貫通して、隣接する一つ内側の舟形部材１４の基端部に座金１６ｅとネジ１６ｄで連結されているので、前記関節保持部材５の湾曲に追従して引きずられて、前記長骨保持部４の固定側部材４ａに形成されたスリット１４ｄが開かれるとともに、スライド側部材４ｂに形成されたスリット２４ｄが開かれて、図７及び図８に示すように固定側部材４ａ及びスライド側部材４ｂがスリット１４ｄ，２４ｄ側を凸側とするように湾曲させられる。
【００７０】
上記実施の形態では、１本のワイヤ部材１６をＵターンさせて配置しているが、Ｕターンさせることなく２本のワイヤ部材を設けてそれぞれを長骨保持部４などに固定しそれぞれのワイヤ部材を前記と同様に引っ張り出すことにより長骨保持部４の湾曲及び関節保持部５の屈曲・湾曲を行うようにしてもよい。
【００７１】
上記実施の形態では、前記湾曲機構と屈曲・湾曲機構とを共通の機構装置６（ワイヤ部材１６及びロック機構２６）により構成したが、それぞれ別々の機構により構成したものであってもよい。この場合、湾曲機構を、上述の実施の形態と同様に、長骨保持部に形成されたスリットを開いた状態にさせるワイヤ部材と、当該ワイヤ部材の移動を拘束して前記スリットを開いた状態に保持するロック部材とを備えるものであってもよい。また、前記屈曲・湾曲機構を、上述の実施の形態と同様に、略台形又は略三角形状の複数の凸片の側面を略密着させるとともに各凸片に形成されたスリットを開いた状態にさせるワイヤ部材と、当該ワイヤ部材の移動を拘束して前記スリットを開いた状態に保持するロック部材とを備えるものであってもよい。
【００７２】
湾曲機構及び屈曲・湾曲機構の形態は一例であり、他の適宜の構造のもの、例えば、ワイヤ部材１６の代わりにひもを用い、引っ張り出した後に結び目を形成して進退移動ができないようにするものや、ワイヤ部材１６の所定の位置にロック用の係止ブロックを移動又は着脱自在に取り付け当該係止ブロックでワイヤ部材１６の進退移動ができないようにするものであってもよい。
【００７３】
本実施の形態の副木の使用方法について説明する。図９に示すように、副木１は前記長骨保持部４、関節保持部５、機構装置６などがカバー部材３により包まれて、平板状形状をなしており、カバー部材３の表面からワイヤ部材１６のファスナー部１６ｂの先端部及びロック部材２６のロック片２６ｂが露出している。
【００７４】
ロック片２６ｂを倒してロック片２６ｂの先端ロック部２６ｃとファスナー部１６ｂの歯１６ｃとの係合を外し、ファスナー部１６ｂを引き出す。これにより、長骨保持部４が湾曲するとともに、関節保持部５が屈曲しつつ湾曲し、図１０に示すような形に変化する。
【００７５】
図１１は本実施の形態の副木１で患部である腕を保持した場合を示す。副木１の一の長骨保持部４に相当する部分を患部の上腕骨に対応する部分を包み込むように沿わせて配置するとともに、関節保持部５に相当する部分を腕関節に対応する部分を包み込むように沿わせ、他の長骨保持部４に相当する部分を患部の橈骨・尺骨に対応する部分を包み込んで沿わせる。このように本副木１を患部に沿わせて配置することにより患部の簡易な保持がなされる。
【００７６】
次いで、この副木１により保持された患部を副木１の上から包帯を巻き付けて完全な保持を行う。副木１が患部に沿った円弧板状であるので巻き付ける包帯に無駄が無く、巻き付ける包帯の長さが少なくてすみ、包帯のゆるみや弛みが生じにくい。また、骨折等の直後で患部は腫れている場合には、前記ファスナー部１６ｂの引き出し量を調整して湾曲形状を患部の現状にあった弛んだ形状に調整し、腫れが引くにつれてファスナー部１６ｂの引き出し量を漸次増大させて所定の湾曲形状を調整するといった使用方法もできる。
【００７７】
長骨保持部４と関節保持部５の長さ寸法や幅寸法は適宜設計変更することができる。例えば、患部である脚の保持を行う場合には、それに対応させて一方の長骨保持部４は長く形成し他方の長骨保持部４は短く形成する等の変更を行う。このものでは、図１２のように患部である脚の保持が行われる。また、大腿部を保持する長骨保持部４の幅を他の長骨保持部４よりも大きくする変更もできる。
【００７８】
また、一つの副木１に２以上の関節保持部５を設けるようにしてもよい。副木１に１つの長骨保持部４と一つの関節保持部５とを設けるようにしてもよい。
【００７９】
長骨保持部４、関節保持部５を屈曲・湾曲可能とする構造としては、適宜の構造を採用することができる。
【００８０】
例えば、長手方向に延びる複数の板材を側面において形状記憶高分子樹脂製の細くて小さい連結部材で連結し、当該連結部材を変形させることにより屈曲・湾曲させ、熱を加えることにより元の形状に戻すことができるものでもよい。この場合において、当該連結部材を変形させて屈曲・湾曲させるための湾曲機構、屈曲・湾曲機構として前記実施の形態で示したワイヤ部材を用いてもよい。なお、Ｘ線撮影に影響が少ない場合には前記連結部材の形状は適宜の形状のものを採用できることはいうまでもない。
【００８１】
また、長骨保持部４にその長手方向に延びる複数条の、例えば薄肉部、弱化部、ひだ状の折曲可能部のようなヒンジ部を前記スリットの代わりに間隔をおいて形成し、当該ヒンジ部において長骨保持部４を湾曲可能とする構造のものであってもよい。この場合には、湾曲の方向性を決める機構・構造を設け所望の一方向にのみ湾曲できるようにすることが好ましい。
【００８２】
関節保持部としては上記実施の形態の凸片に限られず適宜の構造を採用することができる。例えば、関節保持部として屈曲・湾曲可能な蛇腹状の関節保持部材を設けたものであってもよい。
【００８３】
図１３に、本発明の他の実施の形態に係る副木を示す。このものは、関節保持部５の構造が上述の実施の形態に係る副木と異なり、平面視台形板状の凸片３５ｂが方形板状の基端部３５ａに連接されたものを６個副木の長手方向に並べて連接したものである。凸片３５ｂには、図１３（ｂ）に示すように、片方の面に膨出部３５ｃが形成され、この膨出部３５ｃには機構装置６のワイヤ部材が挿通される貫通孔３５ｅが形成されている。膨出部３５ｃの脇にはスリット３５ｄが形成されている。貫通孔３５ｅは上述の実施の形態の貫通孔１５ｇ，１５ｈ、スリット３５ｄはスリット１５ｄと同様な機能を有するものである。
【００８４】
【発明の効果】
以上説明したように、本発明の副木によれば、以下のような効果を奏する。
【００８５】
（１）湾曲機構及び屈曲・湾曲機構により長骨保持部及び関節保持部を湾曲及び屈曲させることができるので、患部に沿ってあてがいやすく患部の保持を確実にすることができるとともに、副木を患部に固定するための包帯の巻き付けもやりやすく外観上も機能的である。また、凸片の変形の度合い・程度を変更・調整することにより、凸片の変形の度合い・程度に応じて関節保持部の屈曲・湾曲の度合い・程度を調整でき、さらには長骨保持部の湾曲も調整できる。
【００８６】
（２）長骨保持部の長さ調節機構により長骨保持部を患部に合わせて伸縮させて使用でき、各種の長さの副木を製造しなくてもよいことによる製造コストの低減や、医療現場における管理の手間の低減などを図ることができる。
【００８７】
（３）長さ調節機構として採用した入れ子状構造という簡単かつ確実な構造により長骨保持部の伸縮ができ、長骨保持部を患部に合わせて伸縮させて使用できる。
【００８８】
（４）長骨保持部に形成されたスリットを開いた状態にさせることにより、長骨保持部をスリットが形成された側が凸側になるように湾曲させることができる。
【００８９】
（５）共通の機構装置の作動により長骨保持部及び関節保持部がほぼ同時に湾曲・屈曲させられ、患部の保持に適した形状とすることができる。
【００９０】
（６）共通の機構装置であるワイヤ部材を作動させて長骨保持部に形成されたスリットを開いた状態にしてロック部材により拘束することにより、長骨保持部を湾曲状態に保持できる。
【００９１】
（７）共通の機構装置であるワイヤ部材を作動させて凸片をその側面が密着状態になる方向に変形するとともに、関節保持部に形成されたスリットを開いた状態にし、ロック部材により拘束することにより、関節保持部を湾曲・屈曲状態に保持できる。
【００９２】
（８）共通の機構装置であるワイヤ部材を作動させて関節保持部の凸片をその側面が密着状態になる方向に変形するとともに、長骨保持部及び関節保持部に形成されたスリットを開いた状態にし、ロック部材により拘束することにより、長骨保持部を湾曲状態に関節保持部を屈曲・湾曲状態に保持できる。
【００９３】
（９）共通の機構装置であるワイヤ部材が、長骨保持部から関節保持部の各凸片に挿通され関節保持部を通過した後にＵターンされ、再び関節保持部の各凸片に挿通された後に長骨保持部に連結され、当該ワイヤ部材を引き出すと、関節保持部の凸片がその側面が密着状態になる方向に変形させられて関節保持部が屈曲・湾曲させられるとともに、関節保持部にワイヤ部材を介して連結された長骨保持部が関節保持部の屈曲・湾曲に応じて屈曲・湾曲させられる。
【００９４】
（１０）共通の機構装置である少なくとも２本のワイヤ部材が、長骨保持部及び関節保持部の両外周縁に配置され、これらのワイヤ部材を引き出すことにより、関節保持部及び長骨保持部を円滑に湾曲・屈曲させることができる。
【００９５】
（１１）患部から出た汗は多孔板のような多孔性材料製の部材を通して対流などの作用で外部に放散させられ、雑菌の繁殖や異臭の発生が防止されるとともに、関節保持部に枠状部材を用いたものでは、汗の放散が更に効果的になされる。
【００９６】
（１２）副木を付けたままＸ線撮影をすることができ、患者の負担や、医師や看護師などの負担が軽くなる。
【００９７】
（１３）多孔板のような多孔性材料製の部材を用いることにより副木全体の軽量化・小型化を図ることができるとともに、関節保持部に枠状の部材を用いれば更に軽量化を図ることができる。
【図面の簡単な説明】
【図１】  本発明の実施の形態に係る副木の全体構成を示す図である。
【図２】  本発明の実施の形態に係る副木の内部フレームなどを示す図である。
【図３】  本発明の実施の形態に係る副木の内部フレームを示す図である。
【図４】  本発明の実施の形態に係る副木の長骨保持部を示す図である。
【図５】  本発明の実施の形態に係る副木の関節保持部を示す図である。
【図６】  本発明の実施の形態に係る副木の機構装置を示す図である。
【図７】  本発明の実施の形態に係る副木の作用を説明するための図である。
【図８】  本発明の実施の形態に係る副木の作用を説明するための図である。
【図９】  本発明の実施の形態に係る副木の作用を説明するための図である。
【図１０】  本発明の実施の形態に係る副木の作用を説明するための図である。
【図１１】  本発明の実施の形態に係る副木の作用を説明するための図である。
【図１２】  本発明の実施の他の形態に係る副木の作用を説明するための図である。
【図１３】  本発明の実施の更に他の形態に係る副木の全体構成などを示す図である。
【符号の説明】
１    副木
２    内部フレーム
３    カバー部材
４    長骨保持部
５    関節保持部
６    機構装置（湾曲機構、屈曲・湾曲機構）
８    長さ調整機構
１５ｂ    先端部分（凸片）
１６    ワイヤ部材（機構装置）
２６    ロック部材（機構装置）
【図１】
0003669498.tif 000002
【図２】
0003669498.tif 000003
【図３】
0003669498.tif 000004
【図４】
0003669498.tif 000005
【図５】
0003669498.tif 000006
【図６】
0003669498.tif 000007
【図７】
0003669498.tif 000008
【図８】
0003669498.tif 000009
【図９】
0003669498.tif 000010
【図１０】
0003669498.tif 000011
【図１１】
0003669498.tif 000012
【図１２】
0003669498.tif 000013
【図１３】
0003669498.tif 000014